(57)【要約】【課題】コンタクトの十分なバネスパンを確保でき、且つ、カード挿抜方向の小型化が可能なカードコネクタの提供。【解決手段】コンタクト３，３...が底板部２２１に形成された回避部５に整合させた位置に配設され、コンタクト３，３...は、回避部５の互いに対向する一方の内縁部に一端が固定された一方の水平バネ片３１，３３と、回避部５の他方の内縁部の一端が固定され、一方の水平バネ片３１，３３とカード挿抜方向に距離を置いて配置された他方の水平バネ片３４，３２と、両水平バネ片間に跨って支持されたカード挿抜方向に架かるアーチ状の弾性接触部３５と、弾性接触部３５の頂部に一体に形成された接点３６とを備え、各コンタクト３，３...が回避部５の互いに対向する内縁部５１，５２に跨って支持されるようにしている。【選択図】図３
2016213127.tif 000002
【特許請求の範囲】
【請求項１】
カード状体が挿入されるカード挿入部を有するハウジングと、前記カード挿入部のカード状体と対向する面より突出し、前記カード挿入部に挿入されたカード状体の信号端子部と接触するように前記ハウジングに配設された導電金属製の複数のコンタクトとを備え、該コンタクトが前記ハウジングのカード状体と対向する部分に形成された回避部に整合させた位置に配設されているカードコネクタにおいて、
前記コンタクトは、前記回避部の互いに対向する一方の内縁部に一端が固定された一方の水平バネ片と、前記回避部の他方の内縁部の一端が固定され、前記一方の水平バネ片とカード挿抜方向に距離を置いて配置された他方の水平バネ片と、前記両水平バネ片間に跨って支持されたアーチ状の弾性接触部と、該弾性接触部の頂部に一体に形成された接点とを備え、
前記各コンタクトが前記回避部の互いに対向する内縁部に跨って支持されるようにしていることを特徴とするカードコネクタ。
【請求項２】
前記コンタクトは、前記回避部の一方の内縁部に固定された一対の前記水平バネ片と、前記回避部の他方の内縁部に固定された一対の前記水平バネ片とを互いに対称配置に備え、
前記弾性接触部は、隣り合う前記水平バネ片間相互に跨って支持され、前記一方の水平バネ片と前記他方の水平バネ片とに跨って支持されるようにしている請求項１に記載のカードコネクタ。
【請求項３】
前記弾性接触部は、前記接点の縁より互いに斜め下外側に傾いて延出し、下端を前記各水平バネ片に一体に支持させた座屈防止用傾斜部を備えている請求項１又は２に記載のカードコネクタ。
【請求項４】
前記水平バネ片は、前記回避部のカード挿抜方向で対向する内縁部に固定されて突出した固定支片部と、該固定支片部の先端より前記内縁部と平行な方向に延出させた水平バネ片本体とを備えている請求項１〜３の何れか１に記載のカードコネクタ。
【請求項５】
カード挿抜方向に距離を置いた前記各水平バネ片は、それぞれその両端が前記回避部の互いに対向する内縁部に固定されている請求項１に記載のカードコネクタ。
【請求項６】
前記水平バネ片は、互いに平行な縦バネ部と、該両縦バネ部の隣り合う端部間を連結する連結横バネ部とを有する複合バネ部を一体に備えている請求項１〜５の何れか１に記載のカードコネクタ。
【発明の詳細な説明】
【技術分野】
【０００１】
本発明は、携帯電話やスマートフォン等の電子機器にＩＣカードやメモリーカード等のカードを接続するカードコネクタに関する。
【背景技術】
【０００２】
従来、この種のカードコネクタは、カードやカードを収容するカードトレイ等のカード状体が挿入されるカード挿入部を有するハウジングと、カード挿入部の内底面より突出してハウジングの底板部に配設された導電金属製の複数のコンタクトとを備え、カード挿入部にカードを挿入すると、各コンタクトの接点が挿入されたカードの対応する信号端子部（信号ＰＡＤ）と接触し、カードとコネクタが搭載された電子機器とを電気的に接続するようになっている。
【０００３】
コンタクトは、ハウジングの底板部に固定される固定部と、固定部に基端を支持させ、カード挿入方向に傾斜した片持ち状の弾性接触片と、弾性接触片の先端に一体に形成された円弧状の接点とを備え、ハウジングの底板部からカード挿入部内に突出させたものが一般的に知られている。
【０００４】
また、その他のコンタクトの態様には、カード挿抜方向に向けた側面視へ字状の弾性接触片を備え、その弾性接触片の一端をハウジングの底板部に固定させ、他端をハウジングの底板部に摺動可能に支持させ、カード挿抜時にカードと接触した際の座屈を防止するようにした座屈防止型コンタクトも知られている（例えば、特許文献１を参照）。
【０００５】
一方、この種のカードコネクタには、カード挿抜方向に向けて多段配置に形状の異なる複数種類のコンタクトを備えたものもある（例えば、特許文献２を参照）。
【先行技術文献】
【特許文献】
【０００６】
【特許文献１】特開２００８−０９７９４７号公報
【特許文献２】特開２００７−２４２２９７号公報
【発明の概要】
【発明が解決しようとする課題】
【０００７】
しかしながら、上述した従来の技術では、ＩＣカードやフラッシュメモリーカード等のカードの小型化に伴い、その分、コンタクトの弾性接触片にカード挿抜方向（挿入方向）の長いバネスパンを確保することが難しくなっている。
【０００８】
特に、特許文献１の如きヘの字状の座屈防止型コンタクトを使用するものや、特許文献２に示す種類の異なるコンタクトをカード挿抜方向に多段配置で備えるもの等ではその傾向が顕著となっている。
【０００９】
また、一般的な片持ちのコンタクトでは、カードやカードトレイ等のカード状体を斜め方向に挿抜すると、片持ちさせた弾性接触片の先端縁がカードやカードトレイと接触し、その衝撃でコンタクトが座屈する虞があった。
【００１０】
そこで、本発明は、このような従来の問題に鑑み、コンタクトの十分なバネスパンを確保でき、且つ、カード挿抜方向の小型化が可能なカードコネクタの提供を目的としてなされたものである。
【課題を解決するための手段】
【００１１】
上述の如き従来の問題を解決し、所期の目的を達成するための請求項1に記載の発明の特徴は、カード状体が挿入されるカード挿入部を有するハウジングと、前記カード挿入部のカード状体と対向する面より突出し、前記カード挿入部に挿入されたカード状体の信号端子部と接触するように前記ハウジングに配設された導電金属製の複数のコンタクトとを備え、該コンタクトが前記ハウジングのカード状体と対向する部分に形成された回避部に整合させた位置に配設されているカードコネクタにおいて、前記コンタクトは、前記回避部の互いに対向する一方の内縁部に一端が固定された一方の水平バネ片と、前記回避部の他方の内縁部の一端が固定され、前記一方の水平バネ片とカード挿抜方向に距離を置いて配置された他方の水平バネ片と、前記両水平バネ片間に跨って支持されたアーチ状の弾性接触部と、該弾性接触部の頂部に一体に形成された接点とを備え、前記各コンタクトが前記回避部の互いに対向する内縁部に跨って支持されるようにしているカードコネクタにある。
【００１２】
請求項２に記載の発明の特徴は、請求項１の構成に加え、前記コンタクトは、前記回避部の一方の内縁部に固定された一対の前記水平バネ片と、前記回避部の他方の内縁部に固定された一対の前記水平バネ片とを互いに対称配置に備え、前記弾性接触部は、隣り合う前記水平バネ片間相互に跨って支持され、前記一方の水平バネ片と前記他方の水平バネ片とに跨って支持されるようにしていることにある。
【００１３】
請求項３に記載の発明の特徴は、請求項１又は２の構成に加え、前記弾性接触部は、前記接点の縁より互いに斜め下外側に傾いて延出し、下端を前記各水平バネ片に一体に支持させた座屈防止用傾斜部を備えていることにある。
【００１４】
請求項４に記載の発明の特徴は、請求項１〜３の何れか１の構成に加え、前記水平バネ片は、前記回避部のカード挿抜方向で対向する内縁部に固定されて突出した固定支片部と、該固定支片部の先端より前記内縁部と平行な方向に延出させた水平バネ片本体とを備えていることにある。
【００１５】
請求項５に記載の発明の特徴は、請求項１の構成に加え、カード挿抜方向に距離を置いた前記各水平バネ片は、それぞれその両端が前記回避部の互いに対向する内縁部に固定されていることにある。
【００１６】
請求項６に記載の発明の特徴は、請求項１〜５の何れか１の構成に加え、前記水平バネ片は、互いに平行な縦バネ部と、該両縦バネ部の隣り合う端部間を連結する連結横バネ部とを有する複合バネ部を一体に備えていることにある。
【発明の効果】
【００１７】
本発明に係るカードコネクタは、上述したように、カード状体が挿入されるカード挿入部を有するハウジングと、前記カード挿入部のカード状体と対向する面より突出し、前記カード挿入部に挿入されたカード状体の信号端子部と接触するように前記ハウジングに配設された導電金属製の複数のコンタクトとを備え、該コンタクトが前記ハウジングのカード状体と対向する部分に形成された回避部に整合させた位置に配設されているカードコネクタにおいて、前記コンタクトは、前記回避部の互いに対向する一方の内縁部に一端が固定された一方の水平バネ片と、前記回避部の他方の内縁部の一端が固定され、前記一方の水平バネ片とカード挿抜方向に距離を置いて配置された他方の水平バネ片と、前記両水平バネ片間に跨って支持されたアーチ状の弾性接触部と、該弾性接触部の頂部に一体に形成された接点とを備え、前記各コンタクトが前記回避部の互いに対向する内縁部に跨って支持されるようにしていることにより、カードの座屈を防止することができるとともに、水平横方向に向けた複数の水平バネ片が撓むとともに捻じれて好適に弾性変形することで、好適なバネ特性を得ることができるので、カード挿抜方向で片持ち支持させた弾性接触片やヘの字状の弾性接触片を有する従来のコンタクト等を用いた場合に比べ、バネスパンを確保する為に必要なハウジングにおけるカード挿抜方向のスペースを小さくでき、コネクタ全体の小型化を図ることができる。
【００１８】
また、本発明において、前記コンタクトは、前記回避部の一方の内縁部に固定された一対の前記水平バネ片と、前記回避部の他方の内縁部に固定された一対の前記水平バネ片とを互いに対称配置に備え、前記弾性接触部は、隣り合う前記水平バネ片間相互に跨って支持され、前記一方の水平バネ片と前記他方の水平バネ片とに跨って支持されるようにしていることにより、カードから受ける押圧力を四方に分散できる。
【００１９】
更に、本発明において、前記弾性接触部は、前記接点の縁より互いに斜め下外側に傾いて延出し、下端を前記各水平バネ片に一体に支持させた座屈防止用傾斜部を備えていることにより、カード挿入部に対しカード状体が斜めに挿入された場合であっても、座屈防止用傾斜部がカード状体の周縁を案内することで座屈を防止することができる。
【００２０】
更にまた、本発明において、前記水平バネ片は、前記回避部のカード挿抜方向で対向する内縁部に固定されて突出した固定支片部と、該固定支片部の先端より前記内縁部と平行な方向に延出させた水平バネ片本体とを備えていることによって、回避部のカード挿抜方向で対向する内縁部間に跨ってコンタクトを支持させた場合であっても、回避部の水平横方向で対向する内縁部に跨ってコンタクトを支持させた場合と同様の効果を得ることができる。
【００２１】
また、本発明において、カード挿抜方向に距離を置いた前記各水平バネ片は、それぞれその両端が前記回避部の互いに対向する内縁部に固定されていることにより、両端が固定端の水平バネ片で弾性接触部を強固に支持することができる。
【００２２】
更に、本発明において、前記水平バネ片は、互いに平行な縦バネ部と、該両縦バネ部の隣り合う端部間を連結する連結横バネ部とを有する複合バネ部を一体に備えていることにより、更にバネスパンを確保することができる。
【図面の簡単な説明】
【００２３】
【図１】本発明に係るカードコネクタの一例を示す斜視図である。
【図２】（ａ）（ｂ）はそれぞれ異なるカードを挿入した状態を示すシールドカバーを取り外した状態のカードコネクタの斜視図である。
【図３】図１中のハウジングのシールドカバーを取り外した状態を示す斜視図であって、（ａ）は上側から、（ｂ）は下側から見た図である。
【図４】図２中のコンタクトの変形挙動を説明する為の斜視図であって、（ａ）はカード未挿入時、（ｂ）は同カード挿入時の状態を示す図である。
【図５】（ａ）（ｂ）はコンタクトの他の実施例を示す平面図である。
【図６】図５（ａ）に示すコンタクトの変形挙動を説明する為の斜視図であって、（ａ）はカード未挿入時、（ｂ）は同カード挿入時の状態を示す図である。
【図７】図５（ｂ）に示すコンタクトの変形挙動を説明する為の斜視図であって、（ａ）はカード未挿入時、（ｂ）は同カード挿入時の状態を示す図である。
【図８】コンタクトの更に他の実施例を示す平面図である。
【図９】コンタクトの更に他の実施例を示す平面図である。
【発明を実施するための形態】
【００２４】
次に、本発明に係るカードコネクタの実施の態様を図１〜図９に示した実施例に基づいて説明する。図中符号Ａはカードコネクタ、符号Ｂ，Ｃはそれぞれ種類の異なるカードである。
【００２５】
尚、本発明においてカード状体とは、ＩＣカードＢやフラッシュメモリーカードＣ等のカード単体の他、カードトレイ１やアダプタを使用するものを含み、本実施例では、二種類のカードＢ，Ｃを適宜選択して収容可能なカードトレイ１をカード状体とした例について説明する。
【００２６】
また、本実施例では、カード状体の挿抜方向と交差する方向、即ちコネクタ幅方向を水平横方向として説明する。
【００２７】
カードコネクタＡは、カードトレイ１が挿入されるカード挿入部２１を有するハウジング２と、ハウジング２のカードＢ，Ｃと対向する面よりカード挿入部２１内に突出するように当該ハウジング２の対向する部分（以下、底板部という）２２１の手前側に配設されたコンタクト３，３...と、ハウジング２の底板部２２１よりカード挿入部２１内に突出するように底板部２２１の奥側に配設された異種コンタクト４，４...とを備えている。
【００２８】
カード状体を構成するカードトレイ１は、図２に示すように、カードＢを横向きに、カードＣを縦向きにそれぞれ適宜選択して収容でき、カードＢの信号端子部Ｂ１，Ｂ１...がコンタクト３，３...と接触し、カードＣの信号端子部（図示せず）が異種コンタクト４，４...と接触するようになっている。
【００２９】
ハウジング２は、図３に示すように、絶縁性合成樹脂製の底板部２２１を有するハウジング本体２２と、導電性金属製のシールドカバー２３とを組み付けることによりカード挿入部２１が前面に開口した中空箱状に形成され、前面の開口よりカードトレイ１を出し入れするようになっている。
【００３０】
ハウジング本体２２は、上面側が凹んだ形状のカード挿入部２１が形成され、その上面がシールドカバー２３の天板部によって覆われ、天板部と底板部２２１との間にカードトレイ１が挿入されるようになっている。
【００３１】
このハウジング本体２２の底板部２２１には、厚み方向に貫通した回避部５，６がそれぞれ形成され、この回避部５，６の位置に整合させて底板部２２１の手前側に複数のコンタクト３，３...が、底板部２２１の奥側に異種コンタクト４，４...がそれぞれインサート成形により組み込まれている。
【００３２】
回避部５は、カード挿抜方向に長い矩形状に形成され、互いに対向する内縁部５１，５２に跨って複数のコンタクト３，３...が底板部２２１に支持され、回避部６は、水平横方向に長い矩形状に形成され、手前側内縁に片持ちさせてカード挿入方向に向けた異種コンタクト４，４...が底板部２２１に支持されている。
【００３３】
コンタクト３，３...は、図３、図４に示すように、弾性を有する導電性金属板材を打ち抜き・折り曲げ加工することにより一体に形成され、回避部５の互いに対向する一方の内縁部に一端が固定された一方の水平バネ片３１，３２と、回避部５の他方の内縁部に一端が固定された他方の水平バネ片３４，３３と、両水平バネ片３１〜３４間に跨って支持されたカード挿抜方向又はカード挿抜方向に対し斜め方向に架かるアーチ状の弾性接触部３５と、弾性接触部３５の頂部に一体に形成された接点３６とを備え、各コンタクト３，３...が回避部５の互いに対向する内縁部５１，５２に跨って支持されるようにしている。
【００３４】
また、コンタクト３，３...には、詳細な説明は省略するが、水平バネ片３１〜３４の何れかに一体に接続された基板接続端子３７を備え、各コンタクト３，３...の基板接続端子３７は、図３（ｂ）に示すように、ハウジング本体２２の奥側に異種コンタクト４，４...の基板接続端子４１，４１...と交互に櫛刃状に導出され、実装基板の接続パターンに接続されるようになっている。
【００３５】
水平バネ片３１〜３４は、それぞれ表面を底板部２２１と平行に向けた水平横方向に長い細長板状に形成され、一対の水平バネ片３１，３２が回避部５の一方の内縁部５１に一端が固定されて互いに平行に配置され、他の一対の水平バネ片３３，３４が回避部５の他方の内縁部５２に一端が固定されて互いに平行配置され、各一対の水平バネ片３１，３２、３３，３４が接点３６を通る水平縦軸を介して互いに対称配置に備えられている。
【００３６】
一方の水平バネ片３１は、回避部５の互いに対向する一方の内縁部５１に一端が固定され、他方の水平バネ片３４は、回避部５の他方の内縁部の一端が固定され、一方の水平バネ片３１とカード挿抜方向に距離を置いて配置されており、同様に、一方の水平バネ片３２は、回避部５の互いに対向する一方の内縁部５１に一端が固定され、他方の水平バネ片３３は、回避部５の他方の内縁部の一端が固定され、一方の水平バネ片３２とカード挿抜方向に距離を置いて配置され、二組の水平バネ片３１，３４、３２，３３がたすき掛け配置を成している。
【００３７】
弾性接触部３５は、接点３６の縁より互いに斜め下外側に傾いて延出し、下端を各水平バネ片３１〜３４の自由端３１１，３２１，３３１，３４１に一体に支持させた座屈防止用傾斜部３５１，３５１をカード挿抜方向の手前側と奥側とに備え、一対の座屈防止用傾斜部３５１，３５１がハ字状を成し、且つ、接点３６を通る水平横軸を介して対称にカード挿抜方向になだらかに傾斜して水平バネ片３１，３４、３２，３３に跨ってカード挿抜方向に架かるアーチ状を成している。
【００３８】
また、この弾性接触部３５は、各座屈防止用傾斜部３５１，３５１の下端を各水平バネ部３１〜３４に支持させたことにより、頂部の接点３６を介して隣り合う水平バネ片３１〜３４間相互に跨って支持され、互いに対向した異なる内縁部に一端が固定された一方の水平バネ片３１，３２と他方の水平バネ片３４，３３とに跨って支持されるようにしている。
【００３９】
尚、弾性接触部３５は、カード挿抜方向の水平距離、即ち、アーチの基端間距離が対向する回避部５の両内縁部５１，５２間の距離より十分短く形成されている。
【００４０】
接点３６は、平面視矩形状に形成され、カード挿抜方向に架かるアーチ状の弾性接触部３５の頂部を形成し、頂部より座屈防止用傾斜部３５１，３５１...を介して水平バネ片３１〜３４が四方に連続して配置され、接点３６がこの４組の座屈防止用傾斜部３５１，３５１...及び水平バネ片３１〜３４を介して回避部５の互いに対向する内縁部５１，５２に跨って両端支持される。
【００４１】
このコンタクト３，３...は、カードトレイ１が未挿入の場合、図４（ａ）に示すように、互いに対向する両内縁部５１，５２にそれぞれ各水平バネ片３１〜３４の一端が固定されており、対向する両内縁部５１，５２に跨って支持され、接点３６が底板部２２１よりカード挿入部２１内に浮き上がった状態になっている。
【００４２】
一方、カードトレイ１をカード挿入部２１に挿入すると、先ず、カードトレイ１の前縁部がカード挿抜方向に架かるアーチ状を成す弾性接触部３５の手前側傾斜面、即ち、座屈防止用傾斜部３５１，３５１のカード挿抜方向手前側表面に当接してコンタクト３，３...を押し下げる。
【００４３】
その際、座屈防止用傾斜部３５１，３５１が水平横方向に下向き外側に傾斜し、且つ、カード挿入方向手前側に傾いているので、カードトレイ１が斜め方向に挿入されても、カードトレイ１は、その側縁が座屈防止用傾斜部３５１，３５１に案内され、弾性接触部３５の手前側表面に誘導される。
【００４４】
更にカードトレイ１を挿入すると、図４（ｂ）に示すように、カードトレイ１に収容されたカードＢの信号端子部Ｂ１（信号パッド）が接点３６と接触し、コンタクト３，３...を下向きに押圧し、カード挿抜方向に架かるアーチ状の弾性接触部３５は、カードＢに押されてカード挿抜方向に伸長するように弾性変形し、それと連動して各水平バネ片３１〜３４の自由端３１１，３２１，３３１，３４１には、下向きの分力とカード挿抜方向の分力とが作用する。
【００４５】
また、座屈防止用傾斜部３５１，３５１が水平横方向に下向き外側に傾斜した形状であるので、各水平バネ片の自由端３１１，３２１，３３１，３４１には、それぞれ固定端３１２，３２２，３３２，３４２側に向けた分力が作用する。
【００４６】
このような分力が作用した際、各水平バネ片３１〜３４は、両内縁部５１、５２側が固定端３１２，３２２，３３２，３４２となっているので、図中矢印に示すように、カード挿抜方向の撓みとともに捻じれを生じて弾性変形し、当該カードＢからの押圧力を緩衝するとともに、好適な接触圧で接点３６と接触するようになっている。
【００４７】
このように構成されたカードコネクタＡでは、各コンタクト３，３...が互いに対向する回避部５の内縁部５１，５２間に跨って支持された両持ち梁状を成し、且つ、コンタクト３，３...を構成する弾性接触部３５がカード挿抜方向に距離を置いた水平バネ片３１，３４、３２，３３に跨って支持されているので、カードＢからの押圧力が水平横方向に長い各水平バネ片３１〜３４に分散して作用し、且つ、各水平バネ片３１〜３４がカード挿抜方向の撓みとともに捻じれることによって、コンタクト３，３...としての十分なバネ特性を確保でき、塑性変形することなく好適に弾性変形することができる。
【００４８】
よって、本発明に係るカードコネクタＡでは、カード挿抜方向で片持ち支持させた弾性接触片やヘの字状の弾性接触片を有する従来のコンタクト等を用いた場合に比べ、バネスパンを確保する為に必要な底板部２２１におけるカード挿抜方向のスペースを小さくでき、カードコネクタＡの小型化等に伴い底板部２２１に確保可能なカード挿抜方向のスペースが限られる場合等にも適用することができる。
【００４９】
尚、コンタクト３，３...の態様は、上述の実施例に限定されず、例えば、図５に示すようなものであってもよい。尚、上述の実施例と同様の構成には同一符号を付して説明を省略する。
【００５０】
図５（ａ）に示すコンタクト７は、互いにカード挿抜方向に距離を置く水平バネ片７１，７２の固定端７１２，７２２がそれぞれ回避部５の対向する内縁部５１，５２のカード挿抜方向に距離を置いた位置に配置され、両水平バネ片７１，７２の自由端７１１，７２１間に円弧アーチ状の弾性接触部７３がカード挿抜方向に架け渡されることにより、両内縁部５１，５２間に跨って支持されている。尚、図中符号７４は、弾性接触部７３の頂部に一体に形成された接点である。
【００５１】
このコンタクト７は、図６（ａ）（ｂ）に示すように、カードＢが挿入されると、カードトレイ１に収容されたカードＢの信号端子部Ｂ１（信号パッド）が接点７４と接触し、コンタクト３，３...を下向きに押圧し、カード挿抜方向に架かるアーチ状の弾性接触部７３は、カードＢに押されてカード挿抜方向に伸長するように弾性変形し、それと連動して各水平バネ片７１，７２の自由端７１１，７２１には、下向きの分力とカード挿抜方向の分力とが作用し、各水平バネ片７１，７２は、図中矢印で示すように、自由端７１１，７２１側が互いに外側に撓みつつ内向きに捻じれるようになっている。
【００５２】
図５（ｂ）に示すコンタクト８は、カード挿抜方向に距離を置いた各水平バネ片８１，８２の両端がそれぞれ回避部５の互いに対向する内縁部５１，５２に固定され、円弧アーチ状の弾性接触部８３が両水平バネ片８１，８２の中央部間に跨って架け渡され、その頂部に接点８４が一体に形成されている。
【００５３】
このコンタクト８では、図７（ａ）（ｂ）に示すように、カードＢが挿入されると、カードトレイ１に収容されたカードＢの信号端子部Ｂ１（信号パッド）が接点８４と接触し、コンタクト８を下向きに押圧し、カード挿抜方向に架かるアーチ状の弾性接触部８４は、カードＢに押されてカード挿抜方向に伸長するように弾性変形し、それと連動して各水平バネ片８１，８２の中央部には、下向きの分力とカード挿抜方向の分力とが作用し、各水平バネ片８１，８２は、図中矢印で示すように、中央部が互いに外側に撓みつつ捻じれるようになっている。
【００５４】
更に、コンタクト３，３...は、図８に示すように、各水平バネ片３１〜３４に、互いに平行なカード挿抜方向の複数の縦バネ部９１，９１...と、縦バネ部９１，９１を連結する水平横方向の複数の横バネ部９２，９２とをもって屈曲した形状に形成された複合バネ部９を一体に備えているものであってもよい。
【００５５】
更に、上述の各実施例においては、回避部５の水平横方向で互いに対向する内縁部５１，５２間、即ち、カード挿抜方向と平行な内縁部５１，５２間に跨って支持されるコンタクト３，３...について説明したが、コンタクト３，３...は、図９に示すように、回避部５のカード挿抜方向で対向する内縁部５４，５５間に跨って支持されるものであってもよい。
【００５６】
このコンタクト３，３...は、水平バネ片３１〜３４に回避部５のカード挿抜方向で対向する内縁部５３，５４に固定されて突出した固定支片部３１３，３２３，３３３，３４３と、固定支片部３１３，３２３，３３３，３４３の先端より内縁部５３，５４と平行な方向に延出させた水平バネ片本体３１４，３２４，３３４，３４４とを一体に備え、各水平バネ片３１〜３４の一端を固定端としている。
【００５７】
尚、上述の実施例では、底板部２２１の奥側に回避部６と異種コンタクト４，４...とを備えたカードコネクタＡを例に説明したが、コンタクト３，３...のみの構成であってもよい。
【００５８】
また、上述の実施例では、回避部５が底板部２２１の板厚方向に貫通した矩形孔状である場合について説明したが、回避部５は、各水平バネ片３１〜３４及び弾性接触部３５の変位が阻害されない凹状又は孔状であればよく、例えば、底板部２２１の上面に開口した有底凹状であってもよい。
【００５９】
更に、上述の実施例では、カード挿入部２１に挿入されたカード状体と対向する部分を便宜上底板部２２１としたが、これによりハウジング２の向きが限定されるものではなく、各コンタクトがハウジングの上内面より突出するように配置されたものであってもよい。
【符号の説明】
【００６０】
Ａ  カードコネクタ
Ｂ  カード
Ｃ  カード
１  カードトレイ
２  ハウジング
２１  カード挿入部
２２  ハウジング本体
２２１  底板部
２３  シールドカバー
３  コンタクト
３１〜３４  水平バネ片
３５  弾性接触部
３６  接点
３７  基板接続端子
４  異種コンタクト
４１  基板接続端子
５  回避部
６  回避部
７  コンタクト
７１，７２  水平バネ片
８  コンタクト
８１，８２  水平バネ片
９  複合バネ部
【図１】
2016213127.tif 000003
【図２】
2016213127.tif 000004
【図３】
2016213127.tif 000005
【図４】
2016213127.tif 000006
【図５】
2016213127.tif 000007
【図６】
2016213127.tif 000008
【図７】
2016213127.tif 000009
【図８】
2016213127.tif 000010
【図９】
2016213127.tif 000011